(57)【特許請求の範囲】
【請求項１】
筆記具の軸筒やキャップ等の筒体との間に被挟持物を挟持する筆記具のクリップ体が、該クリップ体の揺動支点を中心に、一方側に弾性部材を備えて筒体の軸心から遠心方向に付勢することにより、他方側の挟持部が軸芯方向に付勢される構造を有し、
該クリップ体を枢支する枢支部材が、筒体又は該筒体に内装される筒体内装体のいずれかに着脱可能な略環形の環状固定部を備えた構成において、
該環状固定部の一部が開放しており、その開放端両端に互いに対向する対向部材を付設すると共に、該対向部材に軸部を設け、
該環状固定部を前記筒体又は筒体内装体に嵌合する際に該環状固定部が押し広げられて該対向部材の間隔が広がり、該軸部が該クリップ体の両側面に設けた軸受部と係合する構造を有する
ことを特徴とする筆記具。
【請求項２】
前記枢支部材を前記筒体内装体に嵌合する構成において、
前記筒体の一端に切り込み部を設け、少なくとも前記揺動支点及び前記弾性部材を該切り込み部内に収納した
ことを特徴とする請求項1に記載の筆記具。
【発明の詳細な説明】
【技術分野】
【０００１】
本発明は、軸筒やキャップ等にクリップ体を備えた筆記具に関し、特に被挟持物を挟持する向きに付勢する弾性部材を備えたクリップ体の筆記具への取り付け構造に関する。
【背景技術】
【０００２】
紙や衣服を挟持して使う筆記具のクリップには、従来からクリップ自体の弾性によって挟持するものと、バネなどの弾性体を別に備えて挟持するものとがある。
後者の例として本件出願人による特許文献１には、筒体表面に略Ｕ字状の挟みバネの一端を固定し、他端にクリップを備えて挟持するようにした筆記具のクリップ取付装置が開示されている。このような弾性体の作用によって、クリップ自体に過度な力をかけずに確実に挟持することが可能である。
【０００３】
また、特許文献２にはコイルスプリングを用いたクリップ部材を有する筆記具が開示されている。該開示によると、筆記具の筒体の外壁にコイルスプリングがはめ込まれる突部を備えて、クリップ部材の後部を筒体側に押圧することにより筒体の連結部を支点とし筒体に対しクリップ部材の内壁の先端部を筒体から離間可能に構成している。
【０００４】
これらいずれの技術においても、バネやクリップを支える支点が外部に露出しているため、構造が見えることを良しとしないデザインの筆記具においては美観の点で問題がある。また、コイルスプリングが露出していると、コイルスプリングが外れたり、スプリングのスキマに物が挟まるなどの問題もある。特許文献２ではそのために筒体に突部を設けると共に、クリップに後壁を設けてコイルスプリングの脱落を防止しているが、このように凹凸を多くすれば一般に組み立て性は悪化する。
【０００５】
バネをクリップと軸筒との間に内装する構成としては特許文献３が開示されている。本開示によれば、軸筒にクリップ取付孔又は凹状切欠部を設けてクリップの取付片部を嵌入させる。また、クリップのコイルバネ挿入孔内にコイルバネを挿入しており、図面によればコイルバネは外部から見えない構造となっている。
【０００６】
本技術は美観の点で優れるが、図面によれば軸筒にクリップ受けを入れ、コイルバネをクリップとの間に挟んで組み付け、さらに天冠をネジ止めする手順が必要であることから、構造が複雑で組み立て性が悪い点では上記の特許文献と異ならない。
【０００７】
また、各特許文献の技術に共通の問題として、クリップの支点がいずれも軸筒等の筒体の一部で構成されているため、クリップに過剰な力が加わって変形すると、軸筒本体まで変形が及んでしまう。その場合、修理が不可能になったり、交換に多額の修理費用を要することになる。
特に高級筆記具においては長年にわたって愛用するユーザーも多く、部品を簡便に交換して使用を続けられるような構造が求められている。
【０００８】
【特許文献１】特許第３１７５９３３号公報
【特許文献２】国際公開第2006/070821号
【特許文献３】実開昭６１−１１８７８７号公報
【発明の開示】
【発明が解決しようとする課題】
【０００９】
本発明は、上記従来技術の有する問題点に鑑みて創出されたものであり、弾性部材を用いて確実な挟持が可能なクリップ体を備えると共に、組み立て性及び交換性に優れ、かつ美しい外観を有する筆記具を提供することを目的とする。
【課題を解決するための手段】
【００１０】
上記課題を解決するため、本発明は次のような手段を用いる。
すなわち、請求項１に記載の発明によれば、筆記具の軸筒やキャップ等の筒体との間に被挟持物を挟持する筆記具のクリップ体が、クリップ体の揺動支点を中心に、一方側に弾性部材を備えて筒体の軸心から遠心方向に付勢することにより他方側の挟持部が軸芯方向に付勢される構造を有し、クリップ体を枢支する枢支部材が、筒体又は該筒体に内装される筒体内装体のいずれかに着脱可能な固定部を備えたことを特徴とする筆記具を提供する。
【００１１】
そして、クリップ体の枢支部材における固定部を、筒体又は筒体内装体のいずれかに嵌合する略環形の環状固定部とする。ここで略環形は円環形に限らず、四角形、六角形など筆記具の筒体や筒体内装体の外形に適合するいかなる形状でもよい。
【００１２】
上記の揺動支点において、クリップ体の両側面内に枢支部材を介在させ、クリップ体の両側面に設けた軸受部と枢支部材に設けた軸部とが係合するように構成する。
【００１３】
以上の構成において、枢支部材の環状固定部の一部が開放しており、その開放端両端に互いに対向する対向部材を付設すると共に、各対向部材に軸部を設ける。軸部は例えば対向部材の外側の面に凸部を設けて構成する。
そして、環状固定部を筒体や筒体内装体に嵌合することで環状固定部が押し広げられ、対向部材の間隔が広がる。このとき、軸部がクリップ体の軸受部、例えば上記凸部に対応する凹部に強く係合するように作用する。本発明では嵌合時に初めて係合してもよいし、嵌合前から係合していて嵌合によってさらに強く係合する構成でもよいが、組み立て性の点で後者が好ましい。
【００１４】
請求項２に記載の発明によれば、上記の枢支部材を筒体内装体に嵌合する構成において、筒体の一端に切り込み部を設け、少なくとも揺動支点及び弾性部材を切り込み部内に収納した筆記具を提供することもできる。
【発明の効果】
【００１５】
本発明は、以上説明した通り構成されているので、次のような作用効果を奏する。
請求項１に記載の発明によれば、枢支部材を筒体と別体で構成すると共に枢支部材に固定部を設けて筒体や筒体内装体と着脱可能にすることによって組み立て性、交換性に優れた筆記具を提供することができる。
【００１６】
また、略環形の環状固定部を筒体や筒体内装体に嵌合させる簡便な作業により枢支部材を組み立てることができると共に、確実に固定され、脱落等が生じない。
【００１７】
軸部をクリップ体の両側面内に介在させることで外側から軸部が見えにくく、またゴミなどが混入しにくく構成することができる。
【００１８】
クリップを枢支部材に取り付ける作業と、枢支部材を筒体や筒体内装体に固定する作業とを同時に行うことができ、組み立て性が向上する。また、嵌合と同時にクリップの枢支を確実なものとなるため、クリップの固定が強化される。
【００１９】
請求項２に記載の発明によれば、筒体内装体に環状固定部を嵌合させる構成により、環状固定部を筒体内に内装できると共に、切り込み部により少なくとも揺動支点及び弾性部材を切り込み部内に収納することも可能となり、クリップの揺動のための機構が外部から見えない。これによって美観が向上し、またゴミ等の混入も防止できる。
【発明を実施するための最良の形態】
【００２０】
以下、本発明の実施の形態を図面に基づいて説明する。
図１には本発明に係る出没式複合筆記具１（以下、単に筆記具と呼ぶ。）の正面断面図、図２には同、正面図を示す。本実施例に係る筆記具１は、前端（筆記部側）から順に先口１０、前部軸筒１１、後部軸筒１２、後部キャップ１３が組み立てられて１本の筆記具を構成すると共に、先口１０の先端からは内装された複数のリフィール２０・３０・４０・４１（図１・２上では図示されていない）が選択的に出没するようになっている。
また、後部軸筒１２にはクリップ１４が付設されている。
【００２１】
本実施例では、リフィールとしてシャープペンシル用リフィール２０と、３本のボールペン用リフィール３０・４０・４１とをそれぞれ備えている。ボールペン用リフィール３０・４０・４１はそれぞれ色の異なるリフィールである。なお、ボールペン用リフィール３０・４０・４１は同一の構成であるから、以下ではボールペン用リフィール３０についてのみ説述する。
また、本発明を適用する対象は必ずしも複合筆記具に限定されるものではなく、単色の筆記具でも構わない。また、複合筆記具において２本ないし５本程度のリフィールを軸筒内に内装する構成でもよい。
【００２２】
シャープペンシル用リフィール２０は、筆記先端部である芯挿通管２１からシャープペンシルの芯２２が繰出し機構２３により繰り出される。
繰出し機構２３は、芯タンク２４の前端に設けられたチャック（図示せず）、該チャックの外周で軸方向へスライドするチャックリング（図示せず）、チャックおよび芯タンク２４を後方へ付勢するスプリング（図示せず）等を具備する。
そして、後部キャップ１３を前方に押すことによって、後部軸筒１２が前部軸筒１１に対して摺動するのに伴い、チャックを進退させて、芯２２を前方へ繰り出す。
【００２３】
また、ボールペン用リフィール３０は、筆記先端部であるチップ３１の先端に転写ボール３２を回動自在に保持し、該転写ボール３２が紙上で回転することによってインク収容管３３内に充填された油性又は水性インクが紙に転写される。
各リフィールの構成は上記に限らず任意に公知技術を用いることができ、マーカー用リフィールなど他のリフィールを備えてもよい。
【００２４】
シャープペンシル用リフィール２０の後端には該リフィールを出没させる際にカム９０との係合部となるシャープペンシル用スライド駒２５を備え、同様にボールペン用リフィール３０の後端にもボールペン用スライド駒３４を備えている。
そして、後部軸筒１２を前部軸筒１１に対して回動させることによって、内部の回転カム９０がシャープペンシル用スライド駒２５やボールペン用スライド駒３４と係合し、それぞれ前方に突出させたり、後方に没入させるように構成している。
【００２５】
このような回転繰り出し式筆記具についても公知であり、例えば特許文献４のような構成が本件出願人により提案されている。
また、特許文献５のような筆記具後部に設けた押子を前後にスライドさせることにより複数のリフィールのいずれかを選択して出没させると共に、シャープペンシル用リフィールの芯繰り出し動作を軸筒後端のノック操作によって容易に行うことのできる構成も周知である。
【００２６】
【特許文献４】特開２００１−７１６７９号公報
【特許文献５】特開２００３−３９８８８号公報
【００２７】
図３には出没式複合筆記具１のＡ−Ａ断面図を示す。該断面図において後部軸筒１２の内部にガイド部材５０が配設されており、各リフィールが摺動する際にその動きをガイドする。図４に示すように、ガイド部材５０は、前部に前端が開放している管状部５１、略中央に各リフィールが挿通する孔が設けられた挿通孔部５２、後部にスライド駒２５・３４が摺動するスライド駒摺動部５３、後端に後部軸筒１２内のカム９０と回転自在に嵌合する嵌合部５４を有している。
そして、図３のように挿通孔部５２の中の挿通孔５２ａ〜５２ｄ内を各リフィール２０・３０・４０・４１又はその後端に連結された連結部材が摺動するようになっている。
【００２８】
本発明のクリップ体及び枢支部材の構造の詳細な断面図を図５に示す。クリップ体はクリップ本体１４０と、バネ受け部材１４１からなる。クリップ本体１４０は断面が略逆Ｕ字状（図６参照）であって、その逆Ｕ字状の溝の後端部にコイルバネ１４２を保持する樹脂製のバネ受け部材１４１を嵌設固定している。
【００２９】
バネ受け部材１４１には、コイルバネを嵌設するための嵌設孔１４１ａが設けられており、最下端部１４１ｂはコイルバネ１４２の外径よりも大きな口径で、コイルバネを挿入しやすく開口している。上方に向かってテーパ状に細くなり中腹部１４１ｃより上はコイルバネ１４２外径とほぼ等しく均一な口径を有し、さらに最上端部１４１ｄはコイルバネ１４２外径よりわずかに小さな口径となっている。
【００３０】
この構造によりコイルバネ１４２を嵌設孔１４１ａに挿入すると当初は入れやすく、挿入の最後にコイルバネ１４２が径方向に収縮し、最奥で保持された状態となる。従って、製造時には簡便にコイルバネ１４２を嵌設させることができると共に、脱落しにくく、後段のクリップ１４の配設にも便宜である。
【００３１】
コイルバネ１４２の上端は上記のように嵌設孔１４１ａの最上端部１４１ｄと当接し、下端は本発明に係る筒体内装体である消しゴムホルダー７０のバネ受け面７０ａと当接している。
消しゴムホルダー７０は、後部が筒状になって円柱形消しゴム７３を保持する機能も有する。
【００３２】
図６には、図５のＢ−Ｂ断面において本発明の要点を示す説明図を図示している。
クリップ本体１４０の略逆Ｕ字状の両側面１４３・１４３には軸受部となる軸孔１４４・１４４が穿設される。
一方、図７にも合わせて示すように、本発明に係る枢支部材であるクリップ固定具８０は、一部に開放部分８１を有する円環状固定部８２と、開放部分８１の両端部８３・８３から直上方に向けて互いに対向する筒軸方向と平行な対向面８４・８４を備えている。対向面８４・８４には軸部をなす凸部８５・８５が突出している。
【００３３】
以上の構成において、図６（Ａ）のようにクリップ固定具８０の円環状固定部８２を左右からつまむと対向面８４・８４同士の距離が縮まり、そのままクリップ本体１４０内に挿入することができる。
そして、図６（Ｂ）のように凸部８５・８５と軸孔１４４・１４４とが合致する位置で開放すると、それぞれの凸部８５が軸孔１４４に嵌入し、クリップ本体１４０がクリップ固定具８０に対して揺動可能となり、揺動支点を形成する。
【００３４】
図５において明らかなように凸部８５を揺動支点としてクリップ１４の左右部分がシーソー様に揺動する。一方、前述したコイルバネ１４２がバネ受け部材１４１と消しゴムホルダー７０との間を離間させるように付勢しているため、クリップ１４の挟持部１４５は後部軸筒１２に向けて押圧する状態である。
これによって挟持部１４５に被挟持物を挟む際に、確実な保持を行うことができる。
【００３５】
本発明の特徴として、クリップ１４を枢支するクリップ固定具８０が従来のように軸筒に付設されず、別体で構成されていることが挙げられる。次にこのクリップ固定具８０を筆記具１に組み付ける構造について説明する。
図７は消しゴムホルダー７０とクリップ固定具８０との断面図、図８は両者の組み付けを示す斜視図である。
【００３６】
図示のように円環状固定部８２を、消しゴムホルダー７０のネジ部７１を経て固定部７２まで挿通する。固定部７２の外径は挿通前における円環状固定部８２の内径よりわずかに大きいため、組み付けによって対向面８４・８４も外側に広がるように作用する。
このとき、クリップ１４（図示していない）も図６の通りに装着されているため、組み付けによって凸部８５・８５がクリップ本体１４０の軸孔１４４・１４４により強く嵌入し、クリップ１４が脱落しないようになる。詳述すると、対向面８４・８４の拡開により、対向面８４・８４に設けられた２箇所の当接部８６・８７が両側面１４３・１４３の内面と当接する。これにより、クリップ本体１４０が、凸部８５の軸芯方向にガタつくことを防止している。
【００３７】
この状態の消しゴムホルダー７０を、後部軸筒１２後端から挿入し、ネジ部７１を図５に示すカム９０の内周に設けたネジ部９１に螺合する。カム９０はガイド部材５０と接合部９２を介して回転自在に接合されている。また、カム９０はキー構造部９３を介して軸筒１２と回転方向において固着し、カム９０とガイド部材５０は接合部９２を介して回転自在に接合されている。一方、ガイド部材５０と軸筒１１は、図示しない固着部にて固着されている。そして、クリップ１４が装着された消しゴムホルダー７０カム９０と螺合接続している。また一方で、本実施例において後部軸筒１２自体は美匠性を有するパイプ状のカバーであり、消しゴムホルダー７０によって同時に固定されるようになっている。
【００３８】
本発明では、後部軸筒１２後端に軸方向に長辺を有する切り込み部１２１を設けることができる。この切り込み部１２１にはクリップ固定具８０の対向面８４・８４と、その直後のコイルバネ１４２、クリップ本体１４０の後端面１４０ａまでを収納する。切り込み部１２１の前端では、カム９０から棒状の突起部９４が後方に突出しており、クリップ固定部８０を挿入すると該突起部９４が対向面８４・８４間に進入し、クリップ固定部８０の位置合わせを行う。同時に対向面８４・８４を広げてクリップ１４の脱落防止に寄与させることもできる。
【００３９】
実施例は以上の通りであるが、本発明は上記に限定されない。
まず、上記においてクリップ１４のクリップ固定具８０（枢支部材）は後部軸筒１２に設置したが、公知のように筆記先端部を覆うキャップを備えた筆記具が用いられており、このようなキャップにおいて本発明を適用してもよい。また、前部軸筒１１に設置してもよいし、前部・後部軸筒に分かれていない筆記具にあっては、その軸筒において適用してもよい。後部キャップ１３を本実施例よりも長く構成して該後部キャップに設置してもよい。本発明はこれらのキャップや軸筒などを総称して筒体と呼んでいる。
【００４０】
枢支部材は本実施例では筒体に内装される消しゴムホルダー７０に装着したが、筒体自体に直接装着してもよい。この方法によれば枢支部材が露出するためメッキ処理、印刷処理などデザイン性を施すことが望ましい。この方法でも、揺動支点を交換可能な部材にしたことにより本発明の効果を十分に奏することができる。
【００４１】
枢支部材における固定部は、上記実施例では円環状固定部８２を用いたが、環状の形状は筒体又は筒体内装体（上記実施例では消しゴムホルダー７０）の外周形状に合わせて適宜変更可能である。また、必ずしも環状で囲んで固定をしなくてもよく、要するに枢支部材が筒体や筒体内装体に着脱可能に固定されればよい。特に本実施例同様に各部品を組み付ける工程の中で自然に他の部品に固定される構造を用いるのが好ましい。
【００４２】
揺動支点において、本実施例ではクリップ１４の両側面１４３・１４３間にクリップ固定具８０を介在させたが、この関係は逆でもよく、クリップ固定具を外側、クリップを内側としてもよい。
また軸部と軸受部の関係は相対的なものであるから、クリップ側に凸部、クリップ固定具側に凹部を設けてもよい。
【００４３】
後部軸筒１２に設けた切り込み部１２１により、揺動支点付近を見えないようにすることができるが、本発明では必ずしもこの構成に限定されない。切り込み部はなくてもよく、後部軸筒１２の後方に本発明のクリップ固定具が配設されていてもよい。その他、任意の場所に設けることができる。
【００４４】
クリップ１４を付勢する弾性部材はコイルバネに限らず、板バネやゴムその他の材料の弾性力を利用するいかなる部材を用いてもよい。
【００４５】
本発明は以上のように構成するので、確実に挟持することが可能なクリップ１４を備えると共に、クリップ１４の揺動支点を枢支するクリップ固定具８０を別体で構成することにより、組み立て性、交換性が優れた筆記具１を提供することができる。また、各機構を内部に配置することができるので、美しい外観にも寄与する。
【図面の簡単な説明】
【００４６】
【図１】本発明の実施例に係る出没式複合筆記具の正面断面図。
【図２】同、正面図。
【図３】ガイド部材の断面説明図。
【図４】同、正面断面図。
【図５】本発明実施例におけるクリップの固定部分近傍拡大図。
【図６】クリップ固定具とクリップの組み立てを説明する側面説明図。
【図７】クリップ固定具と消しゴムホルダーの組み立てを説明する側面説明図。
【図８】クリップ固定具・消しゴムホルダー・後部軸筒の組み立てを説明する斜視説明図。
【符号の説明】
【００４７】
１２  後部軸筒
１２１  切り込み部
１３  後部キャップ
１４  クリップ
１４０  クリップ本体
１４０ａ  後端面
１４１  バネ受け部材
１４１ａ  嵌設孔
１４１ｂ  最下端部
１４１ｃ  中腹部
１４１ｄ  最上端部
１４２  コイルバネ
１４３  側面
１４４  軸孔
１４５  挟持部
２５  シャープペンシル用スライド駒
３４  ボールペン用スライド駒
５０  ガイド部材
５３  スライド駒摺動部
５４  嵌合部
７０  消しゴムホルダー
７０ａ  バネ受け面
７１  ネジ部
７２  固定部
７３  消しゴム
８０  クリップ固定具
８２  円環状固定部
８５  凸部
９０  内部軸筒
９１  ネジ部
９２  接合部
９３  キー構造部
９４  突起部
【図１】
0005108460.tif 000002
【図２】
0005108460.tif 000003
【図３】
0005108460.tif 000004
【図４】
0005108460.tif 000005
【図５】
0005108460.tif 000006
【図６】
0005108460.tif 000007
【図７】
0005108460.tif 000008
【図８】
0005108460.tif 000009